(57)【特許請求の範囲】
【請求項１】
トレンチャー式ソイルセメント壁掘削機に備えられ、チェーンカッターが無終端状に巻回されたカッターポストを施工対象地盤に挿入し、前記カッターポストに設けられた吐出口より地盤注入材を吐出させつつ前記チェーンカッターを回転させるとともに、前記カッターポストを施工対象地盤の横方向に水平に移動させることにより、前記施工対象地盤にソイルセメント壁を形成する作業の管理に使用されるトレンチャー式ソイルセメント壁掘削機の作業管理システムであって、
前記施工対象地盤を前記カッターポストの移動方向に沿ってソイルセメント壁面に平行な側面によって所定の幅で複数の設定管理幅に分割し、
所定の作業量に基づいたソイルセメント壁の施工対象部分の全幅を横軸とし、施工対象部分の各設定管理幅における地盤注入材の注入量を縦軸とする二次座標軸を作業管理表示モニタに表示することを特徴とするトレンチャー式ソイルセメント壁掘削機の作業管理システム。
【請求項２】
トレンチャー式ソイルセメント壁掘削機に備えられ、チェーンカッターが無終端状に巻回されたカッターポストを施工対象地盤に挿入し、前記カッターポストに設けられた吐出口より地盤注入材を吐出させつつ前記チェーンカッターを回転させるとともに、前記カッターポストを施工対象地盤の横方向に水平に移動させることにより、前記施工対象地盤にソイルセメント壁を形成する作業の管理に使用されるトレンチャー式ソイルセメント壁掘削機の作業管理システムであって、
前記対象地盤を前記カッターポストの移動方向に沿ってソイルセメント壁面に平行な側面によって所定の幅で複数の設定管理幅に分割し、
所定の作業量に基づいたソイルセメント壁の施工対象部分の全幅を横軸、施工対象部分の各設定幅を単位目盛りとする帯状の施工状況表示枠を作業管理表示モニタ上に表示し、該枠内にソイルセメント壁の既設領域、形成中領域、未着手領域又はカッターポストの位置のうちの少なくとも何れかを一つを表示することを特徴とするトレンチャー式ソイルセメント壁掘削機の作業管理システム。
【請求項３】
前記トレンチャー式ソイルセメント壁掘削機の作業管理システムにより得られた実際の各設定管理幅における地盤注入材の吐出量のデータを、地盤注入材を供給するプラントに伝送して施工対象部分の全範囲における地盤注入材の吐出量の管理を行うことを特徴とする請求項１又は２に記載のトレンチャー式ソイルセメント掘削機の作業管理システム。
【発明の詳細な説明】
【０００１】
【発明の属する技術分野】
本発明は、トレンチャー式ソイルセメント壁掘削機の作業管理システムに関する。
【０００２】
【従来の技術】
建設構造物の下部工やシールド発進縦坑等の施工時における止水兼山留め壁として形成されるソイルセメント地中連続壁の施工に関し、より高い止水性能や施工の直進性及び鉛直性に優れた高精度施工などを得るべく開発された工法として、トレンチャー式ソイルセメント壁掘削機を用いた工法があり、ＴＲＤ工法（ソイルセメント地中連続壁工法）と呼ばれている（例えば特開平５−１７９４６号公報、特開平５−２８００４３号公報参照）。
【０００３】
この工法に用いられる上記のトレンチャー式ソイルセメント壁掘削機は、主に、地表を移動可能なベースマシンと、該ベースマシンに支持される、複数の切削ビットを備えたチェーンソー型カッターを巻回させたカッターポストとからなり、係るチェーンソー型カッターがカッターポスト外周を回転しつつ地盤を押圧してトレンチ（溝）を掘削する。
【０００４】
その際、カッターポスト下端に設けられた地盤注入材吐出口より掘削用泥水を吐出してトレンチの掘削を補助し、あるいは、前記吐出口より例えば地盤固化液を吐出して掘削土等と混合攪拌しソイルセメント壁形成を行うのである（トレンチ掘削の完了後にソイルセメント壁形成を行う場合などもある）。
【０００５】
【発明が解決しようとする課題】
しかし、従来、上記のＴＲＤ工法を実施する場合、カッターポスト下端の地盤注入材吐出口より吐出される例えば地盤固化液の量を即時的に計測し、さらにその結果を作業の進行位置に応じて視覚的に表現し施工管理を効果的に行うといったことは実施されておらず、プラントからの地盤固化液の吐出量管理などの実際の施工管理は、経験豊富な係員の経験や勘に頼っていたのが現状である。
【０００６】
また、施工中得られた上記の地盤注入材吐出量データなどに基づき、形成されたであろうソイルセメント壁の厚みや方向性などの品質を管理するといった管理システムも確立されていなかった。
【０００７】
そこで、本発明は、このような従来の課題に着目してなされたもので、ＴＲＤ工法を実施するに際して、トレンチに吐出される地盤注入材量と注入位置との関係を視覚的かつ明確に即時表現し、地盤注入材の吐出量管理と、その結果形成されるソイルセメント壁の作業管理とを経験のない者でも簡便確実に実施可能ならしめるトレンチャー式ソイルセメント壁掘削機の作業管理システムを提供するものである。
【０００８】
【課題を解決するための手段】
上記の目的を達成するために、本発明の請求項１に係るトレンチャー式ソイルセメント壁掘削機の作業管理システムは、トレンチャー式ソイルセメント壁掘削機に備えられ、チェーンカッターが無終端状に巻回されたカッターポストを施工対象地盤に挿入し、前記カッターポストに設けられた吐出口より地盤注入材を吐出させつつ前記チェーンカッターを回転させるとともに、前記カッターポストを施工対象地盤の横方向に水平に移動させることにより、前記施工対象地盤にソイルセメント壁を形成する作業の管理に使用されるトレンチャー式ソイルセメント壁掘削機の作業管理システムであって、前記施工対象地盤を前記カッターポストの移動方向に沿ってソイルセメント壁面に平行な側面によって所定の幅で複数の設定管理幅に分割し、所定の作業量に基づいたソイルセメント壁の施工対象部分の全幅を横軸、施工対象部分の各設定管理幅における地盤注入材の注入量を縦軸として、作業管理表示モニタの二次座標軸上に表示する手段を採用している。
【０００９】
また、本発明の請求項２に係るトレンチャー式ソイルセメント壁掘削機の作業管理システムは、トレンチャー式ソイルセメント壁掘削機に備えられ、チェーンカッターが無終端状に巻回されたカッターポストを施工対象地盤に挿入し、前記カッターポストに設けられた吐出口より地盤注入材を吐出させつつ前記チェーンカッターを回転させるとともに、前記カッターポストを施工対象地盤の横方向に水平に移動させることにより、前記施工対象地盤にソイルセメント壁を形成する作業の管理に使用されるトレンチャー式ソイルセメント壁掘削機の作業管理システムであって、前記対象地盤を前記カッターポストの移動方向に沿ってソイルセメント壁面に平行な側面によって所定の幅で複数の設定管理幅に分割し、所定の作業量に基づいたソイルセメント壁の施工対象部分の全幅を横軸、施工対象部分の各設定幅を単位目盛りとする帯状の施工状況表示枠を作業管理表示モニタ上に表示し、該枠内にソイルセメント壁の既設領域、形成中領域、未着手領域又はカッターポストの位置のうちの少なくとも何れかを一つを表示する手段を採用している。
【００１０】
さらに、本発明の請求項３に係るトレンチャー式ソイルセメント壁掘削機の作業管理システムは、請求項１又は２に記載のトレンチャー式ソイルセメント掘削機の作業管理システムであって、前記トレンチャー式ソイルセメント壁掘削機の作業管理システムにより得られた実際の各設定管理幅における地盤注入材の吐出量のデータを、地盤注入材を供給するプラントに伝送して施工対象部分の全範囲における地盤注入材の吐出量の管理を行う手段を採用している。
【００１２】
【発明の実施の形態】
以下、本発明の好ましい実施の形態につき、添付図面を参照して詳細に説明する。
【００１３】
図１は、ＴＲＤ工法の概念を示す説明図である。
【００１４】
この工法に用いられるトレンチャー式ソイルセメント壁掘削機１０は、主に、地表を移動可能なベースマシン１１と、複数の切削ビットを備えたチェーンソー型カッター１２を巻回させたカッターポスト１３とからなり、チェーンソー型カッター１２がカッターポスト１３外周を回転しつつ地盤Ｇを押圧してトレンチＴ（溝）を掘削する。
【００１５】
その際、カッターポスト１３下端に設けられた地盤注入材吐出口１４より適宜圧力にて掘削用泥水を吐出してトレンチＴの掘削を補助し、あるいは、前記吐出口より例えば地盤固化液を吐出して掘削土等と混合攪拌しソイルセメント壁Ｃの形成を行うのである。
【００１６】
トレンチＴの掘削とソイルセメント壁形成との施工順序に関しては、両者を併せて連続的に行ういわゆる”１パス”施工と、トレンチＴの掘削が完了した後に該トレンチＴに沿ってソイルセメント壁形成を行う”２パス”もしくはトレンチＴの掘削完了後にカッターポスト１３をトレンチ掘削開始位置まで再移動させ、形成されたトレンチＴに沿ってソイルセメント壁形成を行う”３パス”施工など、施工状況に応じて適宜選択される。
【００１７】
また、上記のような施工は数日以上にまたがって行われることが普通であり、その場合、前日までに形成されたソイルセメント壁Ｃの端部を適宜切削して、新たにその日に形成するソイルセメント壁との連続性を確保する。
【００１８】
図２に、ＴＲＤ工法に用いるトレンチャー式ソイルセメント壁掘削機１０が備えるカッターポスト１３の幅寸法Ｗについて、複数の設定管理幅２０に分割した様子を示す。
【００１９】
本発明では、上記のようなＴＲＤ工法を管理するに際し、基本的な考え方としてまず、図のようにカッターポスト１３の、ソイルセメント壁面Ｇと平行な側面の幅寸法Ｗ（例えば本実施例では１７００ｍｍ）について、複数の設定管理幅２０（例えば１００ｍｍ）に分割する（従って本実施例では１７分割）。
【００２０】
したがって、任意のソイルセメント壁形成作業位置で、カッターポスト１３下端に備わる例えばノズル状の吐出口１４から吐出された地盤注入材量は、前記設定管理幅２０各々に例えば均等に割り振られ、カッターポスト１３下端面略全面より均等に吐出されているのと同様の状況を想定する。
【００２１】
ただし上記のように、地盤注入材量が設定管理幅２０各々に均等に割り振られ、カッターポスト１３下端面略全面より均等に吐出されている設定のみでなく、例えば設定管理幅の位置に応じて割り振られる地盤注入材量を変化させることで、割り振り分布に重みを付けるといった設定を実施してもよい。
【００２２】
図３は、本発明のトレンチャー式ソイルセメント壁掘削機１０の作業管理システム３０を示す概念図である。
【００２３】
本システムの主な構成としては、実際の施工機械であるトレンチャー式ソイルセメント壁掘削機１０（以下、本実施例中では掘削機とする）、ソイルセメント壁Ｃが形成される施工予定線上の一端に備えられて掘削機との距離を計測し施工予定線上での掘削機位置を特定する光波距離計３１、掘削機１０に取付けた傾斜センサー等の信号を得て掘削機１０の傾斜角度を解析する携帯型コンピュータ３２、掘削機１０各所の稼働状況や、前記掘削機位置及び傾斜角度といったデータを統合して信号処理を施すデータ変換器３３、そして係るデータ変換器３３より送信される統合データを基に各種解析やグラフ化等の処理を行う統合処理コンピュータ３４及び処理結果を表示する作業管理表示モニタ３５とからなる。
【００２４】
上記のシステム構成を拡張して、例えば上記の統合処理コンピュータ３４と地盤注入材プラントＰとを、無線３６等の適宜通信手段にて結んで、プラント操業係員がモニタ３７で処理結果をチェックしながらプラント操業を行ったり、もしくは統合処理コンピュータ３４と地盤注入材プラントＰとを自動制御装置を介して結び、地盤注入材の吐出量を自動的に加減管理するといったことも可能となる。
【００２５】
また、統合処理コンピュータ３４と、施工全体を管理する現場事務所３８とを結んで効率的な施工を行えるよう総合的判断を行うこともできる。
【００２６】
図４には、上記の作業管理表示モニタ３５で示される作業管理画面４０を示す。係る作業管理画面４０は、例えば、画面略左半部を施工状況表示エリア４１とし、その上端部に、所定の作業量（本実施例では例えば一日の作業量）に基づいたソイルセメント壁施工幅４２を横軸に、設定管理幅２０（１００ｍｍ毎）を係る横軸の単位目盛り４３とした帯状の施工状況表示枠４４を表して、該表示枠４４内を、ソイルセメント壁既設領域Ｃと、ソイルセメント壁形成中領域Ｄと、作業未着手地盤領域Ｇとに好ましくは色別に区分し、カッターポスト現在位置Ｎも併せて枠内に示す。
【００２７】
また、上記施工状況表示枠４４の下方には、地盤注入材である掘削液と地盤固化液とについて、ソイルセメント壁施工予定線上での掘削機各位置における各液の注入量を示した注入量表示グラフ４５、４６をそれぞれ示す。
【００２８】
本実施例の施工状況表示枠４４及び注入量表示グラフ４５、４６では、前日までのソイルセメント壁既設領域Ｃ端部にカッターポスト１３が位置して、それから先の領域（枠の右方向が施工予定方向）については未だ地盤固化液の吐出がほとんど行われておらず、掘削液の吐出を伴うトレンチＴの掘削のみが実施されている様子が表されている。
【００２９】
なお、枠上部の下向き三角印４４ａは当該日におけるカッターポストの作業スタート位置で、枠左端上部の右向き三角印４４ｂは光波距離計の計測方向、枠右端下部の白抜き矢印４４ｃは掘削進行方向を示す。
【００３０】
また、前日に形成されたソイルセメント壁の端部と当該日に形成されるソイルセメント壁との連結一体性を図るための切削代４４ｄを該枠内左端部に表示することとしてもよい。
【００３１】
さらに、上記グラフ４５、４６の下方にはカッターポスト１３の先端軌跡４７が、施工予定線Ｂを基線として記され、当初予定よりどれだけ偏心して施工されたのか明確に判定される。
【００３２】
加えて、鉛直方向についてのカッターポスト１３の先端偏位４８も、作業管理画面右半部左略二分の一に示し、施工されたソイルセメント壁Ｃの鉛直性も即時確認されるのである。
【００３３】
上記の他に、ソイルセメント壁Ｃに建て込まれるＨ鋼などの芯材について、建て込まれた時間や位置、または深度等を示した芯材建込み状況領域４９、地盤注入材の累計注入量等を示す注入材量表示領域５０、また、掘削機１０等の移動量や速度等の施工状況を示す機械状態表示領域５１などを併せて示すと良い。
【００３４】
なお、カッターポストの幅寸法を本実施例では１７００ｍｍ、設定管理幅を１００ｍｍとし、全体で１７分割した例を示したが、これに限らず、選択使用するカッターポストの幅寸法や、求める管理精度などに応じて適宜変更可能である。
【００３５】
また、作業管理画面は、上記実施例の示したようなレイアウトでなくともよく、各グラフや表示枠等を、使用目的や施工状況等に合わせて再配置し変更してもよい。
【００３６】
さらに、本実施例中では施工状況表示枠内を、ソイルセメント壁既設領域と、ソイルセメント壁形成中領域と、作業未着手地盤領域とに区分し、かつカッターポスト現在位置も併せて示したが、本システムの使用目的に応じて、例えば、枠内をソイルセメント壁形成中領域と作業未着手地盤領域のみに区分したりと、種々の組合わせ表示パターンを適用できる。
【００３７】
【発明の効果】
以上、詳細に説明したように、本発明のトレンチャー式ソイルセメント壁掘削機の作業管理システムによれば、ＴＲＤ工法を実施する際に、施工対象地盤の全範囲において、所定の作業量（例えば一日の作業量）ごとに、施工対象地盤の全範囲において各設定管理幅ごとに地盤注入材の注入量を作業管理表示モニタ上で管理することができることになる。
従って、作業者が作業管理表示モニタを注視しながら各設定管理幅内に所定量の地盤注入材を注入することができるので、作業者の経験度に関わらず、一定の精度、品質のソイルセメント壁を施工することができる。
また、所定の作業量（例えば一日の作業量）ごとに、施工対象地盤の全範囲において各設定管理幅ごとに施工状況（ソイルセメント壁の既設、形成中、未着手、カッターポストの位置）を作業管理表示モニタ上で管理することができることになる。
従って、作業者が作業管理表示モニタを注視しながら各設定管理幅ごとに行う作業を一定の精度、品質で確実に行うことができるので、作業者の経験度に関わらず、一定の精度、品質のソイルセメント壁を施工することができる。
さらに、作業管理モニタを作業者が目視することにより、地盤注入材を供給するプラントの作動状態を管理することができるので、作業者の経験度に関わらず、所定量の地盤注入材を所定の設定管理幅内に供給することができる。
【図面の簡単な説明】
【図１】ＴＲＤ工法の概念を示す説明図である。
【図２】ＴＲＤ工法に用いるトレンチャー式ソイルセメント壁掘削機が備えるカッターポストの幅寸法について、複数の設定管理幅に分割した様子を示す説明図である。
【図３】本発明のトレンチャー式ソイルセメント壁掘削機の作業管理システムを示す概念図である。
【図４】本発明のトレンチャー式ソイルセメント壁掘削機の作業管理システムにおいて、ソイルセメント壁形成作業各位置における地盤注入材の注入量をグラフ上に示した作業管理画面の説明図である。
【符号の説明】
４２  ソイルセメント壁施工幅
４５、４６  注入量表示グラフ
【図１】
0003659826.tif 000002
【図２】
0003659826.tif 000003
【図３】
0003659826.tif 000004
【図４】
0003659826.tif 000005